(57)【要約】      （修正有）【課題】汚れやすかったスリッパ底面の汚れを軽減し、さらに床面の埃なども取るシートを装着したスリッパに滑り止め効果を付加して、なおかつシートを交換しても滑り止め効果が失われることがないスリッパを提供する。【解決手段】スリッパ底部に設けた第１部材１と、第１部材の下部に第１部材の周縁から内側に縮小した形状の第２部材２と、シート５と、を順次重ねて載置し、第１部材と第２部材とは少なくとも爪先部と踵部とをスリッパ底部に結合すると共に、シートは第２部材の底面から第２部材を包み込むように巻き付け、第２部材と第１部材との間に、外側から内側方向にシート周縁部を差し込み、着脱自在に取り付けられ、第２部材の底面の少なくとも一部分に滑り止め部６が設けられ、シートには滑り止め部に対応する位置に切り抜き部８を設ける。【選択図】図４
0003227963.tif 000002
【実用新案登録請求の範囲】
【請求項１】
室内床面で着用されるスリッパであって、
前記スリッパ底部に設けた第１部材と、
前記第１部材の下部に第１部材の周縁から内側に縮小した形状の第２部材と、
シートと、
を順次重ねて載置し、
前記第１部材と前記第２部材とは少なくとも爪先部と踵部とをスリッパ底部に結合すると共に、
前記シートは第２部材の底面から前記第２部材を包み込むように巻き付け、
前記第２部材と前記第１部材との間に、
外側から内側方向に前記シート周縁部を差し込み、
着脱自在に取り付けられており、
前記第２部材の底面の少なくとも一部分に滑り止め部が設けられ、
前記シートには前記滑り止め部が直接床面に接するよう露出させるために対応する位置で切り抜かれていることを特徴とするシートの切り抜き部から滑り止めを露出したスリッパ。
【請求項２】
前記シートは周縁部に複数の切り欠いて成る差し込み部を備え、
前記差し込み部は前記第１部材と前記第２部材とで挟持することを特徴とする請求項１記載のシートの切り抜き部から滑り止めを露出したスリッパ。
【考案の詳細な説明】
【技術分野】
【０００１】  本考案は、シート周辺部差し入れ口に、シート周辺部を差し入れてスリッパ底面にシートを巻き付けるように装着して使用されるシートを装着したスリッパにおいて、使用者が使用中に滑ったり、転倒したりしにくくしたスリッパに関するものである。
【背景技術】
【０００２】  従来の室内で着用されるスリッパは、甲・中敷き・ヒール・底等の部品を縫製・貼り付け等の手段によって製造されたもので、直接室内床面に接する底部素材にはビニール、布、フェルト等が使用される。
床の汚れを取る掃除スリッパとしては、スリッパ底部にモップ状素材を使用した物が知られており、スリッパカバーとしてはモップ素材や不織布素材でスリッパを包んで装着する方法が知られている。
しかし、室内床面に直接接するスリッパ底部は、床の埃や床に落ちている髪の毛やごみですぐに汚れてしまうという欠点があった。
掃除スリッパは汚れる度に洗濯をしなければならない上、それによりスリッパ本体が劣化してしまい、スリッパを包んで装着する方法のモップ素材や不織布素材によるカバー等は、スリッパのデザインを損なってしまうだけでなく、洗濯の必要性が生じる。【０００３】  そのため、スリッパ底面にシートを装着し、床面の汚れをシートに付着させることで、スリッパ本体の汚れを軽減し、そのうえ汚れたシートを新しいシートに取り換えて使用できるよう考案された特許文献２のシートを装着したスリッパがある。
【先行技術文献】
【特許文献】
【０００４】
【特許文献１】実登３１３７３９２号公報
【特許文献２】特開２０１８−１２２０６８号公報
【考案の概要】
【考案が解決しようとする課題】
【０００５】  しかしながら、上記シートを装着したスリッパは、スリッパ底部にあるシート周縁部差し入れ口にシート周辺部を差し入れてシートをスリッパ底面に装着するので、スリッパ底面をシートが覆うため、滑り易くなる可能性が高まり、スリッパ使用者の転倒やスリップ事故が予測されるという問題点があった。【０００６】  本考案は、シートを装着したスリッパの、シートを装着してスリッパ底部を汚れにくくし、なおかつ室内床面の掃除ができる特徴を残しながら、スリッパ使用者の転倒やスリップ事故を防げるようシートの切り抜き部から滑り止めを露出したスリッパを提供することを目的とする。
【課題を解決するための手段】
【０００７】  本考案によるシートの切り抜き部から滑り止めを露出したスリッパは、室内床面で着用されるスリッパにおいて、スリッパ底部に第１部材と第１部材の下部にこれより縮小した形状の第２部材を配置し、第２部材は少なくとも爪先部と踵部をスリッパ底部に縫い留め等の手段で結合し、第２部材下部に重ねて載置したシートを、第１部材と第２部材との間のシートの周縁部差し入れ口に外側から内側に、第２部材に巻き付けるように差し込んで、シートを着脱自在に取り付け、前記第２部材に底面の少なくとも一部分に滑り止め効果のある滑り止め部を設け、前記シートには前記スリッパに装着した時に、前記第２部材に設けられた滑り止め部を直接床面に接するよう露出させるために、対応する位置で切り抜かれていることを特徴としている。【０００８】  上記のような特徴を該第２部材及び該シートに与えることで、スリッパ底部の汚れを軽減し、なおかつ床面の汚れを取る特徴を残しながら、該第２部材に設けられた滑り止め部が直接床面に接して滑り止め効果が得られるようにすることで課題を解決する。
【考案の効果】
【０００９】  本考案に係るシートの切り抜き部から滑り止めを露出したスリッパによれば、スリッパ底面の汚れを軽減し、なおかつ床面の汚れを取る特徴を残しながら、使用者の転倒やスリップ事故を防止することが可能となる。【００１０】  また、汚れたシートを新しいシートに交換してもシートの切り抜き部から滑り止めを露出して、スリッパに滑り止め効果を持続させることが可能となる。
【図面の簡単な説明】
【００１１】
【図１】  シートの切り抜き部から滑り止めを露出したスリッパの、シートを取り外し、シート周縁部差し入れ口を押し広げた状態の概略的右側面図である。
【図２】  シートの切り抜き部から滑り止めを露出したスリッパの、シートを取り外した状態の概略的底面図である。
【図３】  シートの切り抜き部から滑り止めを露出したスリッパに、シートを装着する途中の状態を表した概略的左側面図である。
【図４】  （ａ）図３Ａ―Ａにおける概略的断面図。（ｂ）図３Ｂ−Ｂにおける概略的断面図であり、シートが第１部材と第２部材の間に差し込まれている。
【図５】  シートの切り抜き部から滑り止めを露出したスリッパに装着する、シートの概略的平面図である。
【図６】  図６は図３の概略的底面図である。
【図７】  シートの切り抜き部から滑り止めを露出したスリッパの概略的斜視図である。
【考案を実施するための形態】
【００１２】  本考案を図１〜図７に図示の実施例に基づいて詳細に説明する。
【００１３】  シートの切り抜き部から滑り止めを露出したスリッパは、図１乃至図３に示すように、第１部材１と第２部材２をスリッパ底部に備え、第１部材１より小さく形成され、底面の少なくとも一部分に滑り止め部６を設けた第２部材２は、結合箇所３ａ、３ｂ、３ｃ、３ｄ・・・において（図４（ａ）の結合箇所３ｂ、３ｆに示すように）、第１部材を介してスリッパ底部に縫着で結合され、スリッパ底部に固定されている。
すなわち、第２部材２は結合箇所以外では固定されておらず、そのためシートの周縁部差し入れ口４ａ、４ｂ、４ｃ・・・が構成される。上記のように構成された図１のシートの周縁部差し入れ口４ａ、４ｂ、４ｃ・・・に、図４（ｂ）Ｂ−Ｂ断面図で示されているように、第２部材２を巻き込みながらシートの周縁部を差し入れることでシートがスリッパ底部からはみ出すことなくスリッパ底部に装着される。また、図４（ａ）Ａ−Ａ断面図の結合箇所３ｂ、３ｆにおいて、装着されるシート５は、図５のように結合箇所に対応する位置に向け切り込み７ｂ、７ｆを入れているため、結合箇所３ｂ、３ｆを避けるように装着される。
【００１４】  シート５には、結合箇所３を避けるようにしてシート周縁部差し入れ口４にシートの周縁部が差し込めるように切り込み７が入れられ、さらに前記第２部材２に設けられた滑り止め部が前記シートを装着した時に直接床面に接するよう露出させるために、切り抜き部８で示すように、対応する位置で切り抜かれている。
【００１５】  シート装着の手順としては、結合箇所３にシートの切り込み７を対応させて配置した後、第１部材１と第２部材２の間のシートの周縁部差し入れ口４にシート５の周縁部を差し込んでスリッパ底部に装着する。
なお結合箇所３は、実施例においてはシート５の切り込み７に対応するようそれぞれ６箇所設けられているが、とくに６箇所に限られるものではない。
また、前記第１部材１と前記第２部材２は摩擦力の強い素材を使用し、シート５を第１部材１と第２部材２に挟持させた上、スリッパ着用者の体の重みで第１部材１と第２部材２を圧着させて保持させる構造である。
【００１６】  上記のような構造によって、シートをスリッパの外観やデザインを邪魔することなくスリッパ底部に装着し、またスリッパ使用者がスリッパ着用時に、シートを踏んで転倒したり躓いたりすることを防ぐよう、シートがスリッパ底部外周の内側に保持されている。（図７参照）
【００１７】  図２に表したように、第２部材２に設けられた滑り止め部６は、滑り止め効果を有する素材や部材、例えば液体ゴムを塗り付け、若しくは吹き付けて、或いは、自然や人口の皮革を貼り付け、若しくは縫い付けて設ける。
【００１８】  図１、図２のような底部構造を持つ前記スリッパに、図２に表したように滑り止め部６を設け、前記滑り止め部６が直接床面に接するよう露出させるために対応する位置で切り抜いた切り抜き部８を設けたシート５を装着することで、スリッパ底部の汚れを軽減し、なおかつ室内床面の掃除ができる特徴を残しながら、滑り止め効果を付加することができる。
【００１９】  かかる滑り止め部６を第２部材２の少なくとも一部分に設け、シート５の切り抜き部８から露出させて直接床面に接触させることで、スリッパ底部の汚れを軽減し、なおかつ室内床面の掃除ができると共に、スリッパ使用時に滑り止め効果を付加することが出来るため、スリッパ使用者の転倒や、スリップ事故を防止することが可能になる。
【００２０】  図２に表されているように、第２部材２の底面に滑り止め部６が取り付けられているため、シート５を交換しても滑り止め効果は維持される。
【符号の説明】
【００２１】１  第１部材
２  第２部材
３ａ、３ｂ、３ｃ、３ｄ、３ｅ、３ｆ    結合箇所
４ａ、４ｂ、４ｃ、４ｄ、４ｅ、４ｆ    シート周縁部差し入れ口
５  シート
６  滑り止め部
７ａ、７ｂ、７ｃ、７ｄ、７ｅ、７ｆ    切り込み
８  切り抜き部
【図１】
0003227963.tif 000003
【図２】
0003227963.tif 000004
【図３】
0003227963.tif 000005
【図４】
0003227963.tif 000006
【図５】
0003227963.tif 000007
【図６】
0003227963.tif 000008
【図７】
0003227963.tif 000009